(57)【特許請求の範囲】
【請求項１】
建物、レールなどの固定部分（２）（２）’に固定される固定ラック（１）（１）’と、この固定ラック（１）（１）’に噛合され、引き戸（３）（７）の戸閉まり側の上部に回転自在に軸支（５）されるピニオン（４）（４）’と、前記引き戸（３）（７）に並列する引き戸（７）（７）’の上部に、一端を揺動自在に軸支（８）し、ピニオン（４）（４）’と噛合した状態で他端が連繋部材（９）に着脱自在に取り付けられる稼働ラック（６）（６）’とからなる引き戸の連動装置。
【請求項２】
建物、レールなどの固定部分（２）（２）’に固定される固定ラック（１）（１）’と、この固定ラック（１）（１）’に噛合され、吊り引き戸（３）（７）の戸閉まり側の吊戸車（１０）の吊り軸（１１）に回転自在に軸支（５）されるピニオン（４）（４）’と、前記吊り引き戸（３）（７）に並列する吊り引き戸（７）（７）’の吊戸車（１０）の一方の吊り軸（１１）に、一端を揺動自在に軸支（８）し、ピニオン（４）（４）’と噛合した状態で他端が他方の吊戸車（１０）の吊り軸（１１）に取り付けられた連繋部材（９）に着脱自在に取り付けられる稼働ラック（６）（６）’とからなる引き戸の連動装置。
【発明の詳細な説明】
【０００１】
【発明の属する技術分野】
本発明は、複数枚の並列した引き戸を連動して開閉操作することのできる引き戸の連動装置に関する。
【０００２】
【従来の技術】
一般に、複数枚の並列した引き戸を開閉するに当っては、夫々の引き戸を個別に開閉操作するか、或いは基準となる引き戸の開閉完了に伴って、次の引き戸の開閉が連動して開始される方式が見受けられ、引き戸の開閉は確実に行なえるものの円滑性に欠け、開閉作業の効率が悪いものであった。
【０００３】
このため従来では、ワイヤー、若しくはベルトをプーリーに架け渡す方式や、ラックにピニオンを噛合させる方式によって複数枚の並列した引き戸を連動して開閉するものが見受けられるに至った。
【０００４】
しかしながら、ワイヤー、若しくはベルトを利用した方式では、引き戸へ架け渡すワイヤー、若しくはベルトの長さの調整や、建物躯体、レールなどの固定部分、及び連動する次の引き戸への固定などにかなりの手数を要し、しかも、長時間の使用によってワイヤー、若しくはベルトに伸びが発生して引き戸の連動する開閉に支障が生じるため、開閉適正化のための長さ調整のメンテナンスを必要とするなどの不都合があった。
【０００５】
また、ラックにピニオンを噛合させる方式では、ラックの長さを引き戸の長さに合わせて設定することで簡単に施工することができると共に、伸びを生じることがないことから格別なメンテナンスを不要としていたが、複数枚の並列した引き戸を連動して開閉するためには、複数枚の引き戸の位置関係を完全に決定し、その後にピニオンをラックに噛合させた状態でピニオンとラックを建物躯体、レールなどの固定部分、及び連動する次の引き戸など、所定の個所に正確に固定する手数を要していたのである。
しかしながら、ピニオンとラックを固定する個所が狭小で、しかも、固定作業するスペースが限られているために、その固定作業は極めて困難であった。
【０００６】
更に、ラックにピニオンを噛合させる方式では、一旦施工完了した後において調整作業するに当っては、ラックに噛合されているピニオンを取り外さなければならず、調整した後改めてラックに噛合させて所定の個所に固定していたが、この調整作業は非常に面倒であった。
【０００７】
【発明が解決しようとする課題】
解決しようとする問題点は、従来の引き戸の連動装置は、施工に当っての作業に手数を要し、また、施工後における調整作業が面倒なことである。
【０００８】
【課題を解決するための手段】
本発明の基本とするところは、建物、レールなどの固定部分に固定される固定ラックと、この固定ラックに噛合され、引き戸の戸閉まり側の上部に回転自在に軸支されるピニオンと、前記引き戸に並列する引き戸の上部に、一端を揺動自在に軸支し、ピニオンと噛合した状態で他端が連繋部材に着脱自在に取り付けられる稼働ラックとからなるのである。
【０００９】
更に、引き戸、並びに、並列する引き戸が吊戸車で開閉する引き戸であり、ピニオン、並びに稼働ラックが、夫々吊戸車の吊り軸に回転自在、揺動自在に軸支され、稼働ラックの他端が着脱自在に取り付けられる連繋部材が吊戸車の吊り軸に取り付けられることも考えられる。
【００１０】
【作用】
而して、固定ラック、並びに稼働ラックは、引き戸を閉止するに必要な長さがあればよく、引き戸が走行する範囲の建物、レールなどの固定部分に引き戸と並行して固定ラックを固定し、引き戸の上部の戸閉まり側には固定ラックに噛合されるピニオンを回転自在に軸支する。
【００１１】
そして、このピニオンを回転自在に軸支した引き戸に並列して走行する引き戸の上部に、ピニオンに噛合する稼働ラックの一端を揺動自在に軸支して設け、他端を連繋部材に着脱自在に取り付けるのであって、稼働ラックは固定ラックに対して平行状に配されることは当然である。
【００１２】
この際、固定ラックに噛合されているピニオンに稼働ラックを噛合させるに当っては、例えば、引き戸を開放した状態で稼働ラックを揺動させてピニオンを挟み込むようにして噛合させるのである。
【００１３】
また、施工完了後になんらかの事情で引き戸の走行を調整する必要が生じた場合においても、単に稼働ラックの他端を連繋部材から取り外し、揺動させてピニオンとの噛合状態を解除し、引き戸を調整した後改めて稼働ラックをピニオンに噛合させ、他端を連繋部材に取り付ければいいのであり、その調整作業は極めて簡単である。
【００１４】
開放状態にある引き戸を閉止するには、稼働ラックを取り付けた引き戸を閉止方向へ走行させれば、稼働ラックに噛合されているピニオンに回転が伝達され、ピニオンが固定ラックを移動することによりピニオンを取り付けた引き戸を閉止方向へ走行させるのであって、閉止状態にある引き戸の開放は、閉止する場合とは相反する方向への動きにより行われる。
【００１５】
更に、引き戸が吊り戸である場合には、引き戸の前後に配された吊戸車の吊り軸をピニオンの回転軸、稼働ラックの揺動軸、並びに連繋部材の取付部とすることができるのであり、夫々の位置の確定が容易に行なえ、固定ラック、並びに稼働ラックの長さの設定が簡単となるのである。
【００１６】
【実施例】
以下図面に基づいて本発明の実施例を説明すると、図１ないし図４の実施例は２連式の引き戸に関し、１は建物、レールなどの固定部分２に、引き戸３に並行して固定される固定ラックで、この固定ラック１に噛合されるピニオン４を、引き戸３の上部の戸閉まり側に回転自在に軸支５している。
【００１７】
６は前記引き戸３に並列する引き戸７の上部に、一端を揺動自在に軸支８し、ピニオン４と噛合した状態で他端が連繋部材９に着脱自在に取り付けられる稼働ラックである。
【００１８】
また、図５ないし図７の実施例は３連式の引き戸に関するもので、建物、レールなどの固定部分２に、引き戸３に並行して固定ラック１を固定し、この固定ラック１に噛合されるピニオン４を、引き戸３の上部の戸閉まり側に回転自在に軸支５すると共に、引き戸３、もしくは引き戸７のレール２’に固定ラック１’を固定し、この固定ラック１’に噛合されるピニオン４’を、引き戸７の上部の戸閉まり側に回転自在に軸支５し、引き戸７に並列する引き戸７’の上部に、一端を揺動自在に軸支８し、ピニオン４’と噛合した状態で他端が連繋部材９に着脱自在に取り付けられる稼働ラック６’を設けている。
【００１９】
図４、７および８に示した実施例では、引き戸３，７，７’が吊り引き戸である場合を示しており、ピニオン４，４’の回転軸、および稼働ラック６，６’の揺動軸が、夫々引き戸３，７，７’の前後に配された吊戸車１０の吊り軸を利用している状態とし、また、稼働ラック６，６’を取り付ける連繋部材９を吊り軸に連繋する方式としているが、吊り戸ではなく戸車方式の引き戸であっても、ピニオン４，４’の回転軸、並びに稼働ラック６，６’の揺動軸が、夫々引き戸３、並びに並列する引き戸７，７’の上面に突設され、稼働ラック６，６’の他端が着脱自在に取り付けられる連繋部材９も、並列する引き戸７，７’の上面に固定される方式を採用すれば同じ作用効果を奏する。
【００２０】
更に、図面に示した実施例では、稼働ラック６，６’が引き戸７，７’の戸開き側に一端を揺動自在に軸支されている場合を示しているが、引き戸７，７’の戸閉まり側に一端を揺動自在に軸支する方式でも同様にピニオン４，４’を挟み込むようにして噛合できるのである。
【００２１】
【発明の効果】
本発明は上記のように、ピニオンに噛合する稼働ラックの一端を揺動自在に軸支したことから、単に、稼働ラックを揺動させてピニオンを挟み込み、他端を連繋部材に取り付けることで簡単に並列する引き戸の位置関係を適正な位置へ設定できるのであり、また、位置関係の調整も稼働ラックを揺動させ、ピニオンの噛合位置を変更することで容易に行なえる。
【００２２】
更に、引き戸、並びに並列する引き戸が吊戸車で開閉する引き戸であり、ピニオン、並びに、稼働ラックが、夫々吊戸車の吊り軸に回転自在、揺動自在に軸支され、稼働ラックの他端を取り付ける連繋部材が、吊戸車の吊り軸に取り付けられている場合には、ピニオン、並びに、稼働ラックの取り付けが複雑な調整を要することなく簡単に行なえ、既設の吊引戸への取り付けも可能となる。
【図面の簡単な説明】
【図１】施工状態を示す平面図である。
【図２】引き戸を開放した状態の平面図である。
【図３】引き戸を閉止した状態の平面図である。
【図４】取付状態を示す側面図である。
【図５】３連式の引き戸を開放した状態の平面図である。
【図６】３連式の引き戸を閉止した状態の平面図である。
【図７】３連式の引き戸における取付状態を示す側面図である。
【符号の説明】
１，１’            固定ラック
２，２’            固定部分
３                  引き戸
４，４’            ピニオン
５                  軸支部
６，６’            稼働ラック
７，７’            引き戸
８                  軸支部
９                  連繋部材
１０                吊戸車
【図１】
0004501325.tif 000002
【図２】
0004501325.tif 000003
【図３】
0004501325.tif 000004
【図４】
0004501325.tif 000005
【図７】
0004501325.tif 000006
【図５】
0004501325.tif 000007
【図６】
0004501325.tif 000008